(57)【要約】【課題】  軽量化と小型化が可能になるとともに、持ち運びも容易で、訪問エステティックあるいはマッサージの施術用に適した折り畳みベッドを提供する。【解決手段】  マット部（３７）が装着された折り畳み可能なベッド本体（１１）と、一対のベッド枠（１２）の下部側に取付けた１対の支持部（２０）と、一対のベッド枠（１２）の下部側に突出して回動自在に取付けたワイヤ保持部（３０）と、１対の支持部（２０）に接続され中間部が案内部（１８）を介してワイヤ保持部（３０）の端部側に支持されたワイヤ（３４）と、ワイヤ（３４）の支持部（２０）側に挿入され１対のベッド枠（１２）が平坦な状態において１対の支持部（２０）を一定の角度に保持する保持パイプ（３５）とを有する。【選択図】        図１
2010000209.tif 000002
【特許請求の範囲】
【請求項１】
表面側に人の体を保持するマット部が装着された一対のベッド枠が折り畳み可能に接続されたベッド本体と、前記一対のベッド枠の両端部側の下部側に回動可能に取付けられた１対の支持部と、前記一対のベッド枠が折り畳み可能に接続された部分の下部側に突出して回動自在に取付けられたワイヤ保持部と、前記１対の支持部に一端部側がそれぞれ接続され中間部が前記支持部の端部側に設けられた案内部を介して前記ワイヤ保持部の端部側に支持されたワイヤと、前記ワイヤの前記支持部側に挿入され前記１対のベッド枠が平坦な状態において前記１対の支持部を一定の角度に保持する保持パイプとを有することを特徴とする折り畳みベッド。
【請求項２】
前記１対の支持部は、一定長さに形成された中空の支持軸の内部に、下端部側に長さ調整可能に調整軸が挿入されていることを特徴とする請求項１記載の折り畳みベッド。
【請求項３】
前記ベッド本体の一方側の側面には、人の頭部を保持する頭部保持具が装着可能に取付けられることを特徴とする請求項１記載の折り畳みベッド。
【請求項４】
前記ベッド本体の一方側の表面には、人の顔よりもやや小さい大きさの通気孔が形成され、この通気孔を塞ぐ封止部が取外し可能に装着されていることを特徴とする請求項１記載の折り畳みベッド。
【請求項５】
前記一対のベッド枠は、その上面に乗る人の体を柔軟に支持する糸材を使用して編み込んだ通気性を有する布材が使用されることを特徴とする請求項１記載の折り畳みベッド。
【発明の詳細な説明】
【技術分野】
【０００１】
本発明は、軽量で小型化でき持ち運びも容易になり、例えば、訪問エステティックあるいはマッサージの施術用に適した折り畳みベッドに関するものである。
【背景技術】
【０００２】
従来から全身美容あるいは理容のためのエステティック店やマッサージ店が増えてきているが、さらに近年では、訪問によるエステティック及びマッサージの業種が増えてきている。訪問によるエステティック及びマッサージは、利用者の自宅にエステティックやマッサージの施術者が訪問して、その利用者の自宅において施術するというものである。このような訪問によるエステティックあるいはマッサージは、その利用者が自宅から外出することなく施術を受けることができる利便性から好評を博している理由となっている。しかしながら、このような訪問によるエステティックあるいはマッサージの場合には、その施術者が訪問する際に、エステティックあるいはマッサージ施術のためのベッドを携行する必要があった。
【０００３】
このような施術者の訪問による、エステティックあるいはマッサージの施術用ベッドは、軽量であるとともに、携帯が容易になるように小さく折りたたむことができるものが要望されている。
【０００４】
他方で、エステティックあるいはマッサージの施術用ベッドの場合では、ベッド上で横たわるだけではなく、施術者が利用者の体を揉んだり、押したりすることがあるため、耐荷重性についても十分に考慮する必要があった。なお、エステティックあるいはマッサージの施術用ベッドの場合には、ベッド上で本当に寝るわけではないため、長時間の耐震自体についてはさほど気を遣う必要はなかった。
【０００５】
従来、折り畳み可能で、かつ、軽量化を図った折り畳みベッドとしては、特許文献１に記載されたものが知られている。この折り畳みベッドは、特に、マット部分が重くなるため全体として１０ｋｇを超える重量があり、また、接地面に垂直な支持脚体のみで、利用者の重量を支えなければならないため、この支持脚体を頑丈なものとするために必要が構造と材料を使用する必要があった。さらに、この折り畳みベッドは、高さが低い構造に形成されたものであり、エステティックあるいはマッサージの施術用ベッドとしては、その施術者が立った状態で行うことが多いため、ベッド上面もある程度の高さが必要であった。
【０００６】
【特許文献１】特開平１１−７５９９８号公報
【発明の開示】
【発明が解決しようとする課題】
【０００７】
本発明は上記事情に鑑みなされたもので、軽量化と小型化が可能になるとともに、持ち運びも容易になり、訪問エステティックあるいはマッサージの施術用に適した折り畳みベッドを提供することを目的とする。
【課題を解決するための手段】
【０００８】
上記目的を達成するために請求項１に記載の発明にあっては、表面側に人の体を保持するマット部が装着された一対のベッド枠が折り畳み可能に接続されたベッド本体と、前記一対のベッド枠の両端部側の下部側に回動可能に取付けられた１対の支持部と、前記一対のベッド枠が折り畳み可能に接続された部分の下部側に突出して回動自在に取付けられたワイヤ保持部と、前記１対の支持部に一端部側がそれぞれ接続され中間部が前記支持部の端部側に設けられた案内部を介して前記ワイヤ保持部の端部側に支持されたワイヤと、前記ワイヤの前記支持部側に挿入され前記１対のベッド枠が平坦な状態において前記１対の支持部を一定の角度に保持する保持パイプとを有することを特徴とするものである。
【０００９】
請求項２に記載の発明にあっては、前記１対の支持部は、一定長さに形成された中空の支持軸の内部に、下端部側に長さ調整可能に調整軸が挿入されていることを特徴とするものである。
【００１０】
請求項３に記載の発明にあっては、前記ベッド本体の一方側の側面には、人の頭部を保持する頭部保持具が装着可能に取付けられることを特徴とするものである。
【００１１】
請求項４に記載の発明にあっては、前記ベッド本体の一方側の表面には、人の顔よりもやや小さい大きさの通気孔が形成され、この通気孔を塞ぐ封止部が取外し可能に装着されていることを特徴とするものである。
【００１２】
請求項５に記載の発明にあっては、前記一対のベッド枠は、その上面に乗る人の体を柔軟に支持する糸材を使用して編み込んだ通気性を有する布材が使用されることを特徴とするものである。
【発明の効果】
【００１３】
表面側に人の体を保持するマット部が装着された一対のベッド枠が折り畳み可能に接続されたベッド本体と、一対のベッド枠の両端部側の下部側に回動可能に取付けられた１対の支持部と、一対のベッド枠が折り畳み可能に接続された部分の下部側に突出して回動自在に取付けられたワイヤ保持部と、１対の支持部に一端部側がそれぞれ接続され中間部が支持部の端部側に設けられた案内部を介してワイヤ保持部の端部側に支持されたワイヤと、ワイヤの支持部側に挿入され１対のベッド枠が平坦な状態において１対の支持部を一定の角度に保持する保持パイプとを有することで、軽量化と小型化が可能になるとともに、持ち運びも容易になり、訪問エステティックあるいはマッサージの施術用に適したものとなる。
【発明を実施するための最良の形態】
【００１４】
以下、本発明を図示の一実施形態により具体的に説明する。図１〜図８は本発明実施形態の折り畳みベッドを説明する図であり、図１は折り畳みベッドの使用状態における斜視図、図２は折り畳みベッドの分解状態における側面図、図３はカバー部を外した状態の折り畳みベッドの平面図、図４はカバー部を外した状態の折り畳みベッド及び頭部保持具の側面図、図５はベッド枠部分の拡大断面図、図６は支持部の構造を説明する拡大断面図、図７は折り畳みベッドの畳み込み途中の状態を説明する側面図、図８は折り畳みベッドの畳み込んだ状態を説明する側面図である。
【００１５】
図１に示すように、本発明実施形態の折り畳みベッド１０は、人が体を水平状態にして寝ることができる十分な大きさに形成されるとともに、使用しないときには、２つ折にして小さく畳むことができるベッド本体１１を有し、このベッド本体１１の下部側の両端部側には、使用する状態において、そのベッド本体１１の上面を水平に支持するとともに所定の高さ調整可能にできる一対の支持部２０，２０が取付けられ、また、２つ折のベッド本体１１の上面には、人の体を柔軟に支持するためのカバー部３６，３６が装着されるようになっている。また、ベッド本体１１の下部側には使用状態において、それぞれの支持部２０，２０が一定の直立した角度に保持されるように同じ長さに形成されたワイヤ３４，３４，３４，３４が設けられている。これらのワイヤ３４，３４，３４，３４は、それぞれ一端部側が一定の長さに形成されたロック用の保持パイプ３５，３５，３５，３５内を通って支持部２０，２０側に接続され、他端部側はベッド本体１１の両端部側に設けられた案内部１８，１８，１８，１８を通ってベッド本体１１の中央部の下部側に取付けられたワイヤ保持部３０の下端部に接続されている。また、ベッド本体１１の一方側の側面には、人の頭部を支持するための頭部保持具４０が装着されるようになっている。また、この頭部保持具４０に近いカバー部３６の表面には、人の顔より小さい楕円形の通気孔３９が形成され、この通気孔３９を塞ぐ保持マット４４が取外し可能に装着されている。
【００１６】
次に、上記の各部の構成をさらに詳細に説明する。図２〜図４に示すように、ベッド本体１１は、同じ大きさのほぼ長方形状に形成された２組のベッド枠１２，１２から形成され、その２組のベッド枠１２，１２の端部側に設けられた連結部１２aにより水平状態にできるとともに、裏面側を互いに向けて折り畳み可能に接続されている。これら２組のベッド枠１２，１２は、それぞれ同じ形状と大きさの長方形状に形成され、かつその長方形状の大きさは、水平にした使用状態において、その上面に人が寝た状態で体を支持できるように十分な大きさに形成されている。本実施形態においては、１組のベッド枠１２の大きさが、例えば、水平状態における縦横の寸法が９０ｃｍ×６０ｃｍ程度の長方形状の大きさに形成され、使用状態である２組の接続されたベッド枠１２，１２を水平状態に保持されたときには、縦横の寸法が１８０ｃｍ×６０ｃｍ程度の大きさになる。このようなベッド枠１２，１２は、人の重量を十分に支持できる強度を有するとともに全体として軽量化できる構造と材料が使用される。本実施形態においては、ベッド枠１２，１２として、例えば、厚さが１ｍｍ程度で、断面形状として縦が３ｃｍ、横が２ｃｍ程度の矩形パイプ状に形成されたアルミニウム管からなる材料を使用することができる。なお、ベッド枠１２，１２の材料や大きさは、強度と軽量化を考慮してアルミニウム以外の薄い材料からなる金属管等を使用することも可能である。また、本実施形態の長方形状に形成されたベッド枠１２，１２の角部は、尖った形状にならないよう、やや大きな円弧状に形成しているが、その大きさや形状に関しては任意にでき実施形態に限定されない。これらの２組のベッド枠１２，１２は、表面側がそれぞれ支持布１３，１３により覆われている。これらの支持布１３，１３は、その上面に乗る人の体を柔軟に支持できるに十分な強度を有する材料として、例えば、丈夫な糸材を使用して細かく布状に編み込んだ通気性を有する布材を使用することができる。また、これらの支持布１３，１３は、図２及び図３に示すように、それぞれのベッド枠１２，１２の角部側を除く表面側を長方形状に覆うとともに、それぞれのベッド枠１２，１２の側面から下面まで覆われるように取付けられている。これらの支持布１３，１３は、ベッド枠１２，１２の表面側に装着されるカバー部３６，３６とともに、利用者の体が水平に寝た状態で柔軟に支持される程度に緊張した状態に取付けられるよう、図５に示すように、それぞれのベッド枠１２，１２の周囲の側面及び下面においてボルト１２ａ、１２ｂにより固定されている。
【００１７】
上記ベッド本体１１を構成するそれぞれのベッド枠１２，１２の両端部側には、それぞれ同じ構造に形成された支持部２０，２０が取付けられている。この支持部２０，２０は、図２及び図４に示すように、それぞれベッド本体１１の上面が一定の水平な高さで支持されるよう一対の同じ長さに形成された支持軸２１，２１と、これら支持軸２１，２１の内部に下端部側に突出されるよう長さ調整可能に挿入された調整軸２２，２２と、支持軸２１，２１がベッド枠１２の横幅よりやや小さい幅で平行な一定の間隔になるよう取付けられた保持軸２４と、この保持軸２４の両端部側の下部側と支持軸２１，２１との間に設けられた取付板２５，２５と、支持軸２１，２１のベッド枠１２，１２の両端部側に近い側面側に設けられた取付部１９，１９に回動可能に取付ける連結部２３，２３等とを有する。すなわち、それぞれの支持部２０，２０は、ベッド枠１２，１２の両端部側において、それぞれ取付部１９，１９に回動可能に取付けられている。
【００１８】
左右の上記支持部２０，２０側にそれぞれ設けられる、ワイヤ３４，３４は、その一端部側がそれぞれの保持軸２４，２４の両端部側に形成された小さい孔２４ａ，２４ａを通ってそれぞれ取付板２５，２５に形成された取付け部２６，２６に接続され、その途中が取付部１９，１９よりさらにベッド枠１２の両端部側に近い場所に取付けられた保持部１８，１８に移動可能に案内され、その他端部側がベッド枠１２，１２が連結された部分の下部側に回動可能に設けられたワイヤ保持部３０の下端部３３に接続されている。さらに、それぞれの保持軸２４と保持部１８，１８との間のワイヤ３４，３４部分には、一定の長さに形成された支持パイプ３５，３５が装着されている。図２に示すように、ワイヤ３４，３４が緊張した状態になるときに、支持パイプ３５，３５の上端部がそれぞれ保持部１８，１８に当接され、下端部がそれぞれ保持軸２４に当接されて、左右の支持部２０，２０が下側をやや開いた一定の傾斜角度で緊張したワイヤ３４，３４，３４，３４により保持されるようになっている。すなわち、ベッド本体１１を構成するそれぞれのベッド枠１２，１２が上部において水平な状態になったときには、同じ長さに形成された左右のワイヤ３４，３４，３４，３４がベッド本体１１の下側の両端部側に取付けられた左右の支持部２０，２０が直立した状態に保持されるとともに、それぞれのワイヤ３４，３４，３４，３４に設けられた支持パイプ３５，３５，３５，３５により左右の支持部２０，２０が直立された状態で保持されるようになっている。なお、実施形態においては、左右の支持部２０，２０の下端部側がやや開いた傾斜した直立状態に保持されるようにすることでベッド本体１１側を安定した水平状態にすることができる。
【００１９】
上記ベッド本体１１のベッド枠１２，１２の上面にそれぞれ装着されるカバー部３６，３６は、ベッド本体１１，１１の表面側に設けられた支持布１３，１３表面をそれぞれ覆う大きさに形成されたマット部３７，３７と、それぞれのマット部３７，３７の表面側及び側面側を覆うとともに、側面側の下部側を覆う形状に形成されたカバー布３８，３８とを有する。マット部３７，３７は、それぞれ、ベッド枠１２，１２の表面を覆う９０ｃｍ×６０ｃｍ程度の長方形状の大きさで、厚さが、例えば、３ｃｍ程度に形成された、人の体を柔軟に保持できるクッション材料から形成されている。カバー布３８，３８は、例えば、柔軟で薄いプラスチック材料で形成されている。また、頭部保持具４０が装着される近傍のカバー部３６の表面には、人の顔よりもやや小さい大きさに形成された通気孔３９が設けられ、また、この通気孔３９を塞ぐマット部３７と同じ程度の材料と厚さに形成された封止部４４が取付けられるようになっている。
【００２０】
上記支持部２０は、図４及び図６に示すように、同じ長の真っ直ぐに形成された軽量なアルミニウム等のパイプ材からなる支持軸２１を有し、その支持軸２１の内部には同様の真っ直ぐに形成されたパイプ材からなる調整軸２２が下端部側を支持軸２１から下方に突出させた状態で長さ調整可能に取付けられている。すなわち、支持軸２１の側面には、例えば、一定の５ｃｍ程度の間隔で同じ大きさの支持孔２７が、例えば、５個程度の複数個形成されている。また、この支持軸２１内に挿入されている調整軸２２には、その表面から突出されるように突起部２８が内部に設けられたバネ材２９により押し込み可能に取付けられている。支持軸２１の内部に取付けられた調整軸２２は、突起部２８が支持孔２７に挿入されることで、支持軸２１から一定の長さ下方に突出された状態で保持され、かつ突出された突起部２８をバネ材２９の付勢力に抗して指先で押込んだ状態にして調整軸２２を、押込み又は引出して突起部２８を他の支持孔２７に挿入することで、調整軸２２の下端部側の突出長さを調整することができる。
【００２１】
上記頭部保持具４０は、図２〜図４に示すように、必要に応じてベッド枠１２の側面側の中央部に装着して使用するものである。この頭部保持具４０は、一方のベッド枠１２の側面側に形成された取付穴１７，１７にそれぞれ挿入される金属材料からなる水平な状態に設けられた一対の支持軸４１，４１と、これら支持軸４１，４１の端部側に設けられたマット状の支持部４２と、この支持部４２の上面に接着部材等により取付け自在に設けられた人の頭部側を十分な大きさで柔軟に保持する形状に形成された頭部支持部４３とから構成されている。この頭部支持部４３は、例えば、首側を除く頭部周囲を保持するようほぼＣ字型に形成されている。
【００２２】
上記構成の折り畳みベッド１０は、例えば、室内における床上等に配置して使用するときには、ベッド本体１１のベッド枠１２，１２を、連結部１２aを中心にして平坦な状態にするとともに、それぞれのベッド枠１２，１２の両端部に設けられている支持部２０，２０を取付部１９，１９を中心にして回動させる。続いて、支持部２０，２０の端部側に設けられた調整軸２２，２２，２２，２２側を床の表面に当接させて、ベッド本体１１を上面側にする。この状態において、ベッド本体１１のベッド枠１２，１２は、その表面が平坦な状態になるとともに、それぞれの支持部２０，２０を構成する左側の支持軸２１，２１と右側の支持軸２１，２１とがほぼ垂直なる。なお、本実施形態においては、それぞれの下端部側の左側の支持軸２１，２１と右側の支持軸２１，２１とが互いに遠ざかるようにやや傾斜した垂直状態になる（図１又は図２参照）。この左右の支持軸２１，２１及び２１，２１が垂直状態になるとともに、それぞれのワイヤ３４，３４，３４，３４は、その一端部側が接続された支持部２０，２０のそれぞれの取付部２６，２６，２６，２６と、その他端部が接続されたベッド本体１１の中央下部側に垂直な状態に取付けられたワイヤ保持部３０の保持材３１の下端部３３との間で緊張した状態になる。これらのワイヤ３４，３４，３４，３４は、同じ長さに形成されるとともに、その支持部２０，２０側は、それぞれのワイヤ３４，３４，３４，３４に一定の長さに形成された支持軸３５，３５，３５，３５が設けられていることで、保持部１８，１８，１８，１８が設けられたベッド本体１１と、保持軸２４，２４との間が一定の間隔になり、それぞれの支持部２０，２０が垂直状態で保持されるようになっている。
【００２３】
次に、上記の折り畳みベッド１０を使用状態から、畳んだ状態にするときには、横に倒した状態にするとともに、図７に示すように、ベッド本体１１のベッド枠１２，１２を連結部１２ａを中心にして傾斜した状態にすると、緊張したワイヤ３４，３４，３４，３４が緩んだ状態になるとともに、それぞれの支持部２０，２０も垂直状態から、取付部１９，１９，１９，１９を中心にして互いにそれぞれのベッド枠１２，１２の裏面側に回動する。これらの支持部２０，２０がベッド枠１２，１２の裏面側に回動した状態においては、ワイヤ３４，３４，３４，３４が緩んだ状態になるとともに、保持部１８，１８，１８，１８と、それぞれの保持軸２４，２４との間隔が大きくなり、それぞれのワイヤ３４，３４，３４，３４に設けられた支持軸３５，３５，３５，３５が緩んだ状態となる。続いて、図７に示すような支持部２０，２０の傾斜状態を進めることで、図８に示すように、ベッド枠１２，１２の裏面側が互いに当接された状態にすることができ、この平坦な状態において、それぞれの支持部２０，２０は、取付部１９，１９，１９，１９を中心にさらに回動して、それぞれのベッド枠１２，１２の裏面側にワイヤ３４，３４，３４，３４とともに収納され、さらに、ワイヤ保持部３０もワイヤ取付部３２を中心として回動して一方のベッド枠１２の裏面側に収納される。このような折り畳んだ状態にして、それぞれベッド枠１２，１２の端部側に設けられている接続突起１５と接続リング１６とを接続することで、折り畳み状態が保持されるようになる。このような折り畳み状態にして一方のベッド枠１２の側面側に設けられた取っ手１４を持って持ち運びすることができる。
【００２４】
上記構成の折り畳みベッド１０では、ベッド本体１１は、矩形パイプ状に形成された金属材料等によりベッド枠１２，１２を形成し、またこれらベッド枠１２，１２の表面を覆う支持布１３，１３を、人の体を柔軟に支持できる、丈夫な糸材を使用して細かく編み込んだ通気性を有する布材を使用することで、軽量化できるだけでなく、十分な強度で体を柔軟に支持することが可能になる。さらに、本実施形態では、支持部２０，２０を軽量なパイプ材を使用するとともに、一端部側が支持部２０，２０に接続された同じ長さのワイヤ３４，３４，３４，３４の他端部をベッド本体１１の中央下端部において垂直に下側に突出されたワイヤ保持部３０の下端部に接続されているとともに、支持部２０，２０側のワイヤ３４，３４，３４，３４に同じ長さの支持軸３５，３５，３５，３５を装着していることで、支持部２０，２０を確実に保持することができる。また、本実施形態では、必要に応じてベッド本体１１の一方のベッド枠１２側面側に、頭部保持具４０を取付けることができるため、必要に応じて頭部支持を簡単にできる。さらに、頭部保持具４０が装着される近傍のカバー部３６には、封止部４４が取付けられた通気孔３９が形成されているため、その封止部４４を必要により取外し通気孔３９側に顔を向けてうつ伏せ状態になっても通気性を確保することができ、これにより人の背面側のマッサージを行うことができる。
【００２５】
なお、上記の実施形態において、同じ長さの４本のワイヤ３４，３４，３４，３４を使用した例を説明したが、左右のワイヤ３４，３４をワイヤ保持部３０の下端部３３において接続することなく保持する構造にすることで１本のワイヤを使用することができ、側面側から見たときに、一方の支持軸２１及び保持部１８、中央の保持材３１の下端部３３、他方の保持部１８及び支持軸２１を通り側面側から見たときに、ほぼＭ字形状になる１本のワイヤとすれば、合計２本のワイヤ３４，３４にすることができる。また、実施形態において、左右のワイヤ３４，３４は、保持軸２４，２４に形成された小さい孔２４ａ，２４ａを通って取付板２５，２５に形成された取付部２６，２６に接続された例を説明したが、小さい孔２４ａ，２４ａにワイヤ３４，３４を通すことなく、直接に取付け部２６，２６に接続してもよい。すなわち、保持部１８と取付板２５との間に支持パイプ３５が突っ張っている状態で中にワイヤ３４が通っていればよい。
【００２６】
以上説明したように、本発明の折り畳みベッド１０では、軽量化と小型化が可能になるとともに、持ち運びも容易になり、訪問エステティックあるいはマッサージの施術用に適した折り畳みベッドとして利用することができる。
【産業上の利用可能性】
【００２７】
軽量化と小型化が可能になるとともに、持ち運びも容易になり、訪問エステティックあるいはマッサージの施術用に適した折り畳みベッドを提供する。
【図面の簡単な説明】
【００２８】
【図１】本発明実施形態の折り畳みベッドの使用状態における斜視図である。
【図２】本発明実施形態の折り畳みベッドの分解状態における側面図である。
【図３】本発明実施形態のカバー部を外した状態の折り畳みベッドの平面図である。
【図４】本発明実施形態のカバー部を外した状態の折り畳みベッド及び頭部保持具の側面図である。
【図５】本発明実施形態のベッド枠部分の拡大断面図、図６は支持部の構造を説明する拡大断面図である。
【図６】本発明実施形態の支持部の構造を説明する拡大断面図である。
【図７】本発明実施形態の折り畳みベッドの畳み込み途中の状態を説明する側面図である。
【図８】本発明実施形態の折り畳みベッドの畳み込んだ状態を説明する側面図である。
【符号の説明】
【００２９】
１０  折り畳みベッド
１１  ベッド本体
１２  ベッド枠
１２ａ  連結部
１２ａ、１２ｂ  ボルト
１３  支持布
１４  取っ手
１５  接続突起
１６  接続リング
１７  取付穴
１８  保持部
１９  取付部
２０  支持部
２１  支持軸
２２  調整軸
２３  連結部
２４  保持軸
２４ａ  孔
２５  取付板
２６  取付け部
２７  支持孔
２８  突起部
２９  バネ材
３０  ワイヤ保持部
３１  保持材
３２  ワイヤ取付部
３３  下端部
３４  ワイヤ
３５  保持パイプ
３６  カバー部
３７  マット部
３８  カバー布
３９  通気孔
４０  頭部保持具
４１  支持軸
４２  支持部
４３  頭部支持部
４４  保持マット
【図１】
2010000209.tif 000003
【図２】
2010000209.tif 000004
【図３】
2010000209.tif 000005
【図４】
2010000209.tif 000006
【図５】
2010000209.tif 000007
【図６】
2010000209.tif 000008
【図７】
2010000209.tif 000009
【図８】
2010000209.tif 000010